(57)【要約】【課題】装着したまま眠ったとしても息苦しさを感じず、喉に良い高温多湿の空気で呼吸を行いながら眠ることが出来るマスク。【解決手段】部屋で仰向けに横たわる人物の顔にそのマスクが装着された時は、そのマスクが有する袋状の物体２を被る人物の顔の周囲には、先端とその近くの部分が部屋の複数のケ所に取り付けられたヨート等と接続されたひも状の部材１５が、その袋状の物体の前記ひも状の部材と接続された複数のケ所を上や斜め上等に引っ張ることで袋状の物体の内面で覆われ、顔に面した空間が出来、その空間が出来ることで空気取り入れ口となる空間に面した袋状の物体の通気性のある部分５の面積が、従来のマスクを装着した時に発生する空気取り入れ口の面積とは比較にならない程広くなり、そして、その空間内には水蒸気を外部に出すことが出来る物体が在る。【選択図】図２２
2013240568.tif 000002
【特許請求の範囲】
【請求項１】
呼吸困難解消マスク１を人物が装着する時は、その呼吸困難解消マスク１が有する袋状の物体３２の口の部分４を広げて、その広げた口の部分４の中に頭を入れると云う方法でその袋状の物体２を頭の上から被り、後、その口の部分４とその口の部分の近くの部分を首のところで狭めてその口の部分４とその口の部分の近くの部分で首を締めると云う形で前記袋状の物体２でその人物の顔と頭を覆い隠すと云う方法を用いる呼吸困難解消マスク１であって、部屋の中のベッド、又は畳等の上に仰向けとなって横たわる人物の顔に
前記呼吸困難解消マスク１が装着されている状態は、その仰向けとなって横たわる人物の顔から足元を見る方向を前と表現するならば、その人物の顔の斜め上前方、斜め上後方、上、斜め上左、斜め上右、そして、左右等の方向で、その仰向けとなって横たわる人物の顔の上先端となっているところの高さの位置よりも上の位置にある天井の部分、柱、壁、桟等の部屋の様々な部分や部屋に在る机等の物に取り付けられた、又は、動かない状態で存在する複数のヨートやフック等に先端の略輪状の部分または、その先端の略輪状の部分以外のところを結んでつくった輪の部分１９が接続されており、そして、それら上記の先端と先端付近でないもう片方の先端と先端付近の部分が、前記袋状の物体２の複数のケ所に取り付けられている複数のひも状の部材１５が、前記袋状の物体の複数のひも状の部材が取り付けられている部分、即ち、前記複数のひも状の部材と前記袋状の物体の複数の接続部分を上や左右の斜め上、斜め上前方、斜め上後方、そして、左右等水平の線から下にならない方向に引っ張っているので、その袋状の物体２はへしゃげることなくその袋状の物体２の内部には空間２３が出来ており、その袋状の物体の内面で覆われた空間２３は、仰向けとなって横たわる人物の顔を囲む状態、即ち、その仰向けとなって横たわる人物の顔が上を向いている時は、その人物の顔の上だけでなく、顔の左右にもその人物の顔の皮膚に面して一つにつながった状態の空間２３が存在していることを特徴とする呼吸困難解消マスク。
【請求項２】
前記袋状の物体２は、複数の外側に突き出た部分、即ち凸部７を有しており、前記複数のひも状の部材１５はそれら凸部に接続されていることを特徴とする請求項１記載の呼吸困難解消マスク。
【請求項３】
前記袋状の物体２から前記複数の凸部の内の全ての凸部７を取り除いたものを袋状の物体本体３と表現するが、前記複数の凸部７は、それぞれの凸部の全体の部分の大半を占める凸部の先端側の方向に位置する凸部本体９と、それら凸部の根元、即ち、前記袋状の物体本体３の最も近くに位置し、そして、凸部本体９の外周の長さよりも短い外周の長さとなっている凸部のくびれた部分８とで構成されており、前記全ての複数のひも状の部材１５は、前記凸部のくびれた部分８に接続されていることを特徴とする請求項２記載の呼吸困難解消マスク。
【請求項４】
前記袋状の物体２は通気性のある部分５と非通気性の部分６とで構成されており、前記複数の凸部７の内の全ての凸部７は非通気性の部分に在ることを特徴とする請求項３記載の呼吸困難解消マスク。
【請求項５】
前記袋状の物体２の前記非通気性の部分６に在る前記複数の凸部の内の全ての凸部７の凸部本体９の内部には、内部にその物体を貫通した孔１２を有する物体１１が存在していることを特徴とする請求項４記載の呼吸困難解消マスク。
【請求項６】
前記袋状の物体２の前記非通気性の部分６に在る前記複数の凸部の内の全ての凸部７の凸部本体９の内部に存在する内部に貫通した孔１２を有する物体１１は略円柱状の物体であることを特徴とする請求項５記載の呼吸困難解消マスク。
【請求項７】
前記袋状の物体２の前記複数の凸部７の内の全ての凸部７の凸部本体９の内部に在る内部に貫通した孔１２を有する略円柱状の物体１１の前記孔１２の内部にはひも状の部材２０の一部が存在しており、請求項１に書かれているように、部屋の中のベッド、または、畳等の上に仰向けとなって横たわる人物の顔に呼吸困難解消マスク１が装着されている場合は、その人物の顔を囲む状態で前記袋状の物体の内面で覆われた空間２３が存在するわけであるが、その空間の内部には、内部にカイロと水分を含んだ吸湿性のある物体が在る物体１３が、前記凸部本体９の内部にある略円柱状の物体１１の孔１２の内部から伸びているひも状の部材２０によって吊り下げられる形で空中に存在する状態になっていることを特徴とする請求項６記載の呼吸困難解消マスク。
【請求項８】
請求項１で述べている部屋の中に在るベッド、または畳等の上に敷かれた布団等の上で、仰向けとなって横たわる人物の顔に装着された呼吸困難解消マスク１には、その人物の顔を囲む状態で前記袋状の物体２の内面で覆われた状態の空間が出来るわけであるが、その空間２３の中の空中に存在している形となる前記内部にカイロと水分を含んだ吸湿性のある物体がある物体１３の吸湿性のある物体と前記空間２３との間となる部分は繊維状の網の目を有している部分２５が存在していることを特徴とする請求項７記載の呼吸困難解消マスク。
【請求項９】
請求項１で述べている部屋の様々な部分や部屋に在る机等の物に取り付けられた、又は動かない状態で存在する複数のヨートやフック等につながっている前記複数のひも状の部材１５の全てのひも状の部材１５は、前記袋状の物体２から取り外すこと、及び、袋状の物体に取り付けることが出来ることを特徴とする請求項８記載の呼吸困難解消マスク。
【請求項１０】
前記袋状の物体２が有する凸部７の前記凸部本体９の内部に在る略円柱状物体１１は、前記凸部本体９の内部から取り外すこと、及び前記凸部本体内部に収容できることが可能であることを特徴とする請求項９記載の呼吸困難解消マスク。
【請求項１１】
前記袋状の物体２が有する凸部７の前記凸部本体９の内部に在る略円柱状の物体１１の前記孔１２の中に一部が在るひも状の部材２０は取り替えることが出来ることを特徴とする請求項１０記載の呼吸困難解消マスク。
【請求項１２】
前記内部にカイロ、及び水分を含んだ吸湿性のある物体が在る物体１３は、前記ひも状の部材２０から取り外すこと、及び、そのひも状の部材に取り付けることが出来ることが可能であることを特徴とする請求項１１記載の呼吸困難解消マスク。
【請求項１３】
前記内部にカイロと水分を含んだ吸湿性のある物体が在る物体１３の前記カイロ、及び、水分を含んだ吸湿性のある物体は取り替えることが可能であることを特徴とする請求項１２記載の呼吸困難解消マスク。
【発明の詳細な説明】
【技術分野】
【０００１】本発明は部屋の中に在るベッド、または、畳等の上に敷かれた布団等の上に仰向けとなって横たわる人物の顔に装着される呼吸困難解消マスクに関する。
【背景技術】
【０００２】現在市場でよく見かけるマスクは繊維状の網の目の部分を有する略長方形の物体とその略長方形の物体を人物の顔の鼻口部を覆う状態で固定するための耳かけの役目をする左右一対の伸縮性のあるひも状の部材とで構成される図１の形状をしたものが殆どである。【０００３】日中は花粉症になっている人物が図１のようなマスクを装着しているのをよく見かけるが、花粉症になっている人でも図１のようなマスクを装着したまま眠らない理由は、図１のようなマスクを装着して眠ろうとすると息苦しさを感じて眠ることが出来ないためである。【０００４】例えば、図５のように図１のマスクを装着し、その図１のマスクの長方形の布状の部材の中央を前へ引っ張ればその長方形の布状の部材を引っ張る前よりも装着者の呼吸は楽になるわけであるが、その呼吸が楽になる理由は装着者の鼻口部の前に在る空間の体積が大きくなることにより、前記布状の部材の空気取り入れ口となる部分の面積が広くなるためである。【０００５】即ち、マスクを装着した人物は、空気取り入れ口が広ければ広いほど呼吸が楽になるわけであるが、人物が図１のマスクを装着した場合は、空気取り入れ口となるところは図２のように人物の鼻と口の間の部分の前とその周囲の布状の部分のみであるが、人物が最も深い呼吸を必要とする睡眠時に上述のような挟い面積の空気取り入れ口をつくる状態となる図１のようなマスクを装着していたとしたら当然のことながら息苦しくなる。【０００６】また、図３のような立体マスクを装着するとその立体マスクが有する略長方形の布状の部材が中央に行くに従って前にふくらんでいる形状をしているため、図１のマスクを装着した時よりも空気取り入れ口となる面積は広くなるため図１のマスクを装着している時よりも呼吸は楽になるが、その立体マスクを装着して眠ろうとした場合でも息苦しさを感じる人々が存在していることが現実である。【０００７】また、人物が装着している状態を外側から見るとその人物の鼻口部を覆っている状態の布状の部材の内側に、その布状の部材と鼻口部との間に外からは見えない状態で存在するプラスチック等のある程度の硬度の有る素材で出来た空間をつくる物体が在る図６のようなマスクが現在在るかもしれないが、その図６のようなマスクを装着して眠ろうとした場合、前記空間をつくる物体の重量により、マスク装着者が違和感を覚えるために眠ることが出来ない事態が生じることも充分に考えられる。【０００８】なお、本願発明に関連する公知技術として次の特許文献２を挙げることが出来る。【０００９】
【特許文献１】特開２００４−４９３５６
【特許文献２】特開２００９−１８９６７６
【発明の開示】
【発明が解決しようとする課題】
【００１０】上述の如く、従来技術に係るマスクは、耳かけの役目をする左右一対の伸縮性のあるひも状の部材で略長方形等の形をした布状の部材を人物の鼻口部を覆う状態で固定する方法を用いるものばかりであり、その方法では人物の鼻口部の前につくる空間の大きさには限界がある。【００１１】本発明はこのような点に鑑みて成されたものであり、その目的は人物が仰向けとなって横たわる時、即ち、睡眠時にマスクを装着している場合、図１や図３の立体マスクを装着した時に、それらを装着している人物の顔の鼻口部前や鼻と口の間の部分の前やそれらの周囲に出来る空間よりもはるかに大きな空間をつくってマスク装着者の呼吸を従来のマスクを装着した時の呼吸よりもはるかに楽にし、そして、その空間内を乾燥に弱い喉に負担がかからない浴室と似た状態、即ち高温多湿の状態にして、喉に良い高温多湿の空気を装着者の鼻腔入口に送ることにある。
【課題を解決するための手段】
【００１２】呼吸困難解消マスクを人物が装着する時は、その呼吸困難解消マスクが有する袋状の物体の口の部分を広げて、その広げた口の部分の中に頭を入れると云う方法でその袋状の物体を頭の上から被り、後、その口の部分とその口の部分の近くの部分を首のところで狭めてその口の部分とその口の部分の近くの部分で首を絞めると云う形で前記袋状の物体でその人物の顔と頭を覆い隠すと云う方法を用いる呼吸困難解消マスクであって、部屋の中のベッド、又は畳等の上に仰向けとなって横たわる人物の顔に
前記呼吸困難解消マスクが装着されている状態は、その仰向けとなって横たわる人物の顔から足元を見る方向を前と表現するならば、その人物の顔の斜め上前方、斜め上後方、上、斜め上左、斜め上右、そして、左右等の方向で、その仰向けとなって横たわる人物の顔の上先端となっているところの高さの位置よりも上の位置にある天井の部分、柱、壁、棧等の部屋の様々な部分や部屋に在る机等の物に取り付けられた、又は、動かない状態で存在する複数のヨートやフック等に先端の略輪状の部分または、その先端の略輪状の部分以外のところを結んでつくった輪の部分が接続されており、そして、それら上記の先端と先端付近でないもう片方の先端と先端付近の部分が、前記袋状の物体２の複数のケ所に取り付けられている複数のひも状の部材１５が、前記袋状の物体の複数のひも状の部材が取り付けられている部分、即ち、前記複数のひも状の部材と前記袋状の物体の複数の接続部分を上や左右の斜め上、斜め上前方、斜め上後方、そして、左右等水平の線から下にならない方向に引っ張っているので、その袋状の物体２はへしゃげることなくその袋状の物体２の内部には空間２３が出来ており、その袋状の物体の内面で覆われた空間２３は、仰向けとなって横たわる人物の顔を囲む状態、即ち、その仰向けとなって横たわる人物の顔が上を向いている時は、その人物の顔の上だけでなく、顔の左右にもその人物の顔の皮膚に面して一つにつながった状態の空間２３が存在していることを特徴とする。【００１３】前記袋状の物体２は、複数の外側に突き出た部分、即ち凸部７を有しており、前記複数のひも状の部材１５はそれら凸部に接続されていることを特徴とする。【００１４】前記袋状の物体２から前記複数の凸部の内の全ての凸部７を取り除いたものを袋状の物体本体３と表現するが、前記複数の凸部７は、それぞれの凸部の全体の部分の大半を占める凸部の先端側の方向に位置する凸部本体９と、それら凸部の根元、即ち、前記袋状の物体本体３の最も近くに位置し、そして、凸部本体９の外周の長さよりも短い外周の長さとなっている凸部のくびれた部分８とで構成されており、前記全ての複数のひも状の部材１５は、前記凸部のくびれた部分８に接続されていることを特徴とする。【００１５】前記袋状の物体は通気性のある部分と非通気性の部分とで構成されており、前記複数の凸部の内の全ての凸部は非通気性の部分に在ることを特徴とする。【００１６】前記袋状の物体の前記非通気性の部分に在る前記、複数の凸部の内の全ての凸部の凸部本体の内部には、内部にその物体を貫通した孔を有する物体が存在していることを特徴とする。【００１７】前記袋状の物体の前記非通気性の部分に在る前記複数の凸部の内の全ての凸部の凸部本体の内部に存在する内部に貫通した孔を有する物体は略円柱状の物体であることを特徴とする。【００１８】前記袋状の物体の前記複数の凸部の内の全ての凸部の凸部本体の内部に在る内部に貫通した孔を有する略円柱状の物体の前記孔の内部にはひも状の部材の一部が存在しており、００１２に書かれているように、部屋の中のベッド、または、畳等の上に仰向けとなって横たわる人物の顔に呼吸困難解消マスクが装着されている場合は、その人物の顔を囲む状態で前記袋状の物体の内面で覆われた空間が存在するわけであるが、その空間の内部には、内部にカイロと水分を含んだ吸湿性のある物体が在る物体が、前記凸部本体の内部にある略円柱状の物体の孔の内部から伸びているひも状の部材によって吊り下げられる形で空中に存在する状態になっていることを特徴とする。【００１９】００１２で述べている部屋の中に在るベッド、または畳等の上に敷かれた布団等の上で、仰向けとなって横たわる人物の顔に装着された呼吸困難解消マスクには、その人物の顔を囲む状態で前記袋状の物体２の内面で覆われた状態の空間が出来るわけであるが、その空間２３の中の空中に存在している形となる前記内部にカイロと水分を含んだ吸湿性のある物体がある物体１３の吸湿性のある物体と前記空間２３との間となる部分は繊維状の網の目を有している部分２５が存在していることを特徴とする。【００２０】００１２で述べている部屋の様々な部分や部屋に在る机等の物に取り付けられた、又は動かない状態で存在する複数のヨートやフック等につながっている前記複数のひも状の部材の全てのひも状の部材は、前記袋状の物体から取り外すこと、及び、袋状の物体に取り付けることが出来ることを特徴とする。【００２１】前記袋状の物体２が有する凸部７の前記凸部本体９の内部に在る略円柱状の物体１１は、前記凸部本体９の内部から取り外すこと、及び前記凸部本体内部に収容できることが可能であることを特徴とする。【００２２】前記袋状の物体２が有する凸部７の前記凸部本体９の内部に在る略円柱状の物体１１の前記孔１２の中に一部が在るひも状の部材２０は取り替えることが出来ることを特徴とする。【００２３】前記内部にカイロ、及び水分を含んだ吸湿性のある物体が在る物体１３には前記ひも状の部材２０から取り外すこと及びそのひも状の部材に取り付けることが可能であり、そして、前記内部にカイロと水分を含んだ吸湿性のある物体がある物体１３の前記カイロ、及び、水分を含んだ吸湿性のある物体は取り替えることが可能であることを特徴とする。
【発明の効果】
【００２４】以上説明したように本発明によれば、部屋の中のベッド、または畳等の上に敷かれた布団等の上に仰向けとなって横たわる人物の顔に呼吸困難解消マスクが装着された時は、その仰向けとなって横たわる人物の顔から足元を見る方向を前と表現するならば、その人物の顔の斜め上前、斜め上後ろ、上、斜め上左右、そして、左右等、その仰向けとなって横たわる人物の顔の上先端部となるところよりも上の位置に取り付けられたヨートやフック等に先端の略輪状の部分、または先端の略輪状の部分以外のところを結んでつくった輪の部分が接続されて、そして、もう片方の先端と先端付近の部分が袋状の物体の複数のカ所に取り付けられている状態の複数のひも状の部材が、それら複数のひも状の部材と袋状の物体の接続部分を上や左右の斜め上、斜め上前方、そして、左右に引っ張るのでその袋状の物体はへしゃげることなく、その人物の顔の上左右にはその袋状の物体の内面に囲まれた状態の立体マスク等では考えられない大きな空間が出来、その大きな空間が出来ることで、その空間に面している袋状の物体の空気取りれ口の役目を果たす通気性のある部分の面積が、人物が立体マスクを装着した時に出来る空気取り入れ口となる部分の面積よりも広い面積となるので人物は立体マスクを装着した時よりも楽に呼吸をすることが出来、さらに横たわる人物の顔の上、左右、即ち周りに出来たその空間内には、その空間の空中に存在している状態となっている内部にカイロと水分を含んだ吸湿性のある物体が在る物体の内部の前記吸湿性のある物体と前記空間との間となる部分には繊維状の網の目を有している部分のみが存在している状態となっている部分が在るので前記内部にカイロと水分を含んだ吸湿性のある物体が在る物体に存在している前記カイロの熱によって温められたその吸湿性のある物体に含まれる水分が水蒸気となって繊維状の網の目の部分をすり抜けて前記空間内に流れ出し、その空間内は乾燥に弱い喉に負担がかからない高温多湿の浴室に似た空気が存在している状態となるので、前記袋状の物体の通気性がある部分の網の目をすり抜けてその空間内に入ってきた高温多湿に弱い性質を持つインフルエンザウイルスはその空間内でかなりのダメージを受け、その呼吸困難解消マスクを装着した仰向けとなって横たわる人物の鼻腔入口からは喉に良い高温多湿の空気が入ることになる。
【発明を実施するための最良の形態】
【００２５】以下本発明の実施の形態を図面に基づき詳細に説明する。【００２６】呼吸困難解消マスク１は仰向けとなって横たわる人物、即ち、人物が睡眠をしている時に使用されるマスクである（図１８、図２２参照）【００２７】その呼吸困難解消マスク１を外側から見た場合、見える部分は、数本〜二十数本の伸縮性のあるひも状の部材１５とそれらひも状の部材が出ているケ所を持つ袋状の物体２の表面側の部分である。（図１８、図２２、図２３、図２４参照）【００２８】これから、その呼吸困難解消マスク１の構造を人物がその呼吸困難解消マスクを装着する順序とともに説明することにする。【００２９】呼吸困難解消マスク１を人物が装着する場合は、前記袋状の物体から出ている複数本のひも状の部材１５の内の全てのひも状の部材１５、または、いくつかのひも状の部材１５の先端の略輪状の部分１６、または、その先端の略輪状の部分以外のところを結んでつくった輪の部分１９を天井の部分、柱、壁、桟等の部屋の様々な部分や部屋に在る机等の物に取り付けられたヨートやフック等にまずかける形で接続するわけであるが、その時に注意することは、やがて仰向けとなって横たわる人物の顔から足元を見る方向を前と表現した場合、その仰向けとなって横たわる人物の顔の斜め上前方、斜め上後方、上、斜め上左、斜め上右、そして、左右等の方向になるところで、そして、やがて仰向けとなって横たわる人物の顔の上先端部となる高さよりも高いところに在る部屋の様々な部分や部屋に在る机等の物に取り付けられたヨートやフック等にそれらひも状の部材の先端の略輪状の部分１６、先端の略輪状の部分以外のところを結んでつくった輪の部分１９をかける形で接続する。（図１４、図１８、図２２参照）【００３０】そして、人物は、その袋状の物体２を頭からかぶるわけであるが、前記袋状の物体２は、通気性のある部分５と非通気性の部分の二つの部分に分かれる形で存在しており、人物が、その袋状の物体を被る時は、その袋状の物体２の口の部分４を広げて、前記非通気性の部分６の内の、その非通気性の部分の面積が最も広いところ、即ち、非通気性の部分の中心の見えない縦の線２６が、その人物の鼻の中心の縦の線の前にくるように被る。（図１８、図２３、図２４参照）【００３１】そして、その袋状の物体２の非通気性の部分６の口の部分４の側に根元の部分が貼り付けられる形で在る帯状の部分２４を手で持ち、その帯状の部分２４を左、または右に引っ張り、その帯状の部分２４の裏側に貼られているワンタッチテープと、非通気性の部分６の口の部分の近くに貼られる形で存在している数体のワンタッチテープのいづれかとを密着させる形でその口の部分と口の部分の近くのところを狭めて、その口の部分とその口の部分の近くの部分で装着者の首を締めると云う形でその口の部分とその口の部分の近くの部分を装着者の首の周りに固定する（図２１、図２４、図１８、図２３参照）【００３２】〔００３０〕と〔００３１〕で説明している袋状の物体の通気性のある部分全体は網の目状となっている。（図１８、図２３、図２４参照）【００３３】そして、前記袋状の物体２を頭から被っている状態となった人物は、その部屋に在るベッド、または、畳等の上に敷かれた布団等のよに仰向けとなって横たわる状態となる。（図１８、図２２参照）【００３４】複数の前記ヨートやフック等に先端の略輪状の部分１６やその先端の略輪状の部分以外のところを結んでつくった輪の部分１９をかけた前記ひも状の部材１５は、下記の空間２３が出来るように、それらひも状の部材の前記袋状の物体との接続部分と前記ヨート等にかけたところの距離を測っているので、その仰向けとなって横たわる人物の顔が上を向いている場合は、その人物の顔の前、即ち顔の上、左右の斜め上、そして、左右には空間が出来る状態の前記袋状の物体２の内面で覆われた空間２３が出来、そして、その人物の顔が左右、どちらの方向に向いたとしても、その人物の顔の前には空間が出来る状態となる。（図１８、図２２参照）【００３５】そして、前記袋状の物体２の前記非通気性の部分６には外側に突き出た複数の凸部７が存在している。（図１０、図１８、図２３、図２４、図２６参照）【００３６】前記袋状の物体２から前記凸部７を除いたものを袋状の物体本体３と表現するが、前記複数の凸部７の全ての凸部の形状と名称は、それらそれぞれの凸部の大半を占める先端側の部分を凸部本体９、そして、その凸部本体と比べて外周の長さが短く袋状の物体本体３に近いところに在る部分、即ち前記凸部の根元の部分を凸部のくびれた部分８と表現し、その凸部のくびれた部分８には前記ひも状の部材１５が取り付けられている。（図１２、図１８、図２２、図２３参照）【００３７】その凸部のくびれた部分８に取り付けられたひも状の部材１５の外し方は極めて簡単であり、その凸部のくびれた部分に巻き付いた形となっているひも状の部材の端の略輪状の部分１６、または、その略輪状の部分に近い部分を毛抜き等の先端で掴んで手前に引けば、その端の略輪状の部分を根元とする略輪状の部分１７の輪が大きくなり、前記ひも状の部材は簡単に前記凸部のくびれた部分８から取り外すことが出来る。（図２５参照）【００３８】そして、前記ひも状の部材１５を、前記袋状の物体２、即ち、前記凸部のくびれた部分８に取り付ける方法は、前記ひも状の部材の端の略輪状の部分の近くのところを指でつまんで輪を作り、その輪の一部を鋭角にして、その鋭角となったところを端の略輪状の部分１６の輪の中に入れて端の略輪状の部分が根元となる略輪状の部分をつくり、そして、そのひも状の部材の端の略輪状の部分が根元となる略輪状の部分１７の輪で前記凸部のくびれた部分８を囲んで、そのままの状態で端の略輪状の部分が根元となる略輪状の部分１７の輪をひも状の部材の部分を手前に引く形で締めれば、前記ひも状の部材の端とその端の付近が前記凸部のくびれた部分８に巻きつく形となり、前記ひも状の部材１５は上記の方法で前記袋状の物体に取り付けられることとなる。（図１３、図１２参照）【００３９】そして、前記凸部７の前記凸部本体９の内部には、内部の中心を縦に貫通する形の一つの孔１２を有する木材、またはプラスチックで出来た略円柱状の物体１１が存在しており、その略円柱状の物体１１の前記孔１２の中にはひも状の部材２０の一部が内部を貫通する形で入っている。（図１６、図１７，図３９参照）【００４０】前記孔１２の中に一部が入っている状態となっている前記ひも状の部材２０は、その孔の外のに在る端付近でその孔の直径よりも太くその孔に入ることが出来ない形状の結び目をつくっている状態となっているか、または、その孔を貫通し、その孔の外側に出た前記ひも状の部材２０の端の部分がその略円柱状の物体の外側に出てその略円柱状の物体の外側を縦に半周してそのひも状の部材の端が入ってきた辺りのひも状の部材のところで、その辺りに在るひも状の部材の部分とその端とその端付近の部分で結び目をつくると云う方法で〔００３４〕で述べている空間の中に前記ひも状の部材２０が落ちないようにしている。（図１７、図２９、図３０参照）【００４１】呼吸困難解消マスクが、部屋の中に在るベッド、または、布団等の上で仰向けとなって横たわる人物の顔に装着された時に生じる〔００３４〕で述べている空間２３の中には一体以上の鞄状の物体１３が空中に存在している状態となっている。（図１６、図１８、図２２参照）【００４２】前記鞄状の物体は、大きく分けると帯状の物体１４と鞄状の物体本体２７とに分けられ、鞄状の物体本体２７の上部の左右の端からは、一つの結び目が節となって見える状態の帯状の物体１４が一体づつ計二体出ており、その二体の帯状の物体１４の結び目の下側、即ち、鞄状の物体本体側には、前記略円柱状の物体１１の孔１２から伸びたひも状の部材２０が取り付けられており、その帯状の物体に取り付けられているひも状の部材の端の部分は〔００３４〕で述べているひも状の部材と同じ略輪状となっており、そして、そのひも状の部材２０を前記帯状の物体１３から取り外す方法、及び、その帯状の物体１３に取り付ける方法は〔００３７〕〔００３８〕で述べている方法と全く同じである。（図１２、図１３、図１７、図２５、図３４参照）【００４３】また、上の〔００４２〕で述べている空間２３の中で空中に存在している形となっている鞄状の物体１３を吊り下げているひも状の部材以外のひも状の部材は、垂れ下がると装着者の頬に触れて装着者が違和感を覚える可能性があるので、それらは互いに結ばれて、それらの先端や先端付近が、装着者の頬に触れない様に工夫されており、また、それらひも状の部材に湿気を与えて、その空間内の湿度をより高くするのも良い。（図２２、図４０参照）【００４４】前記鞄状の物体本体２７は、略四角形状であり、その構造は、前記鞄状の物体の前記左右の帯状の物体１４を両手で持って吊り上げ、前記鞄状の物体本体を水平にして、その二つの帯状の物体を前後の位置関係にして後方の帯状の物体を前からは、前の帯状の物体と重なって見えないようにし、視線を前から見る状態にしてその鞄状の物体の中心を縦に横断切断したとすると、その切断面の中央に縦の一本の線となって見える部分は、紙状の弾水性、耐熱性を持つ非通気性の素材でつくられた仕切り帯２８であり、その仕切り帯の左右にはポケットが存在する。（図７、図３５、図３６、図３７参照）【００４５】そして、左右のポケットの外側上部の内側には、貼られているか縫い付けられた形でワンタッチテープが存在しており、その左右のワンタッチテープと対面する前記仕切り帯２８の部分にもワンタッチテープが貼られている。（図７、図３５、図３６、図３７参照）【００４６】そして、その左右のポケットの内の一つのポケットには使い捨てカイロ、もう一つのポケットには水を含んだ布状の部材、または、水を染み込ませたスポンジが入っている。（図３５、図３６、図３７、参照）【００４７】そして、前記水を染み込ませたスポンヂ、水を含んだ布状の部材が入っているポケットの外側の部分には、必ず、繊維状の網の目のある部分２５があり、そこからは空気が自由に出入り出来る状態となっており、また、前記鞄状の物体本体２７を構成する部材は、前記仕切り帯２８のところだけは必ず非通気性であれば、前記ワンタッチテープ以外の他の部分は、空気が自由に出入り出来る状態の繊維状の網の目を有していても構わない。（図７、図１８参照）【００４８】そして、前記鞄状の物体本体が有する二つのポケット内に存在する使い捨てカイロ、布状の物質やスポンヂを取り替える作業は極めて簡単であり、前記ポケットの上部に密着している二体のマジツのテープを剥がし、そして、ポケット上部を広げて中の上記のものを取り出し、そのポケット上部を広げたまま、上記のものをポケット内に入れ、再び、ポケットの上部に在る互いに対面する二体のワンタッチテープを密着させればよい。（図３５、図３６、図３７参照）【００４９】次は前記袋状の物体２が有する凸部７の凸部本体９の内部に在る前記略円柱状の物体１１の取り外し方について説明する。【００５０】前記凸部７の凸部のくびれた部分８には前記ひも状の部材１５と二体の輪状の物体１０がその凸部のくびれた部分に巻き付く形で取り付けられているが〔００３７〕の要領でまず前記ひも状の部材１５を凸部のくびれた部分８から取り外す。（図２５参照）【００５１】そして、凸部７の前記凸部本体９を外側から指でつまみ、その状態のまま凸部のくびれた部分８に巻き付けられている輪状の物体１０をハサミ等で切断し、そして、前記凸部本体９をつまんでいる指をゆるめれば、その凸部本体内に存在している略円柱状の物体１１は下に落ちることになる。（図２６、図２７参照）【００５２】そして、その下に落ちた略円柱状の物体１１の中の孔１２に一部が入っているひも状の部材２０の先端付近に結び目が在る形状のものは、その結び目の略円柱状の物体の孔側のところをハサミ等で切断すれば、そのひも状の部材２０はその孔１２から抜くことが出来る。（図２９参照）【００５３】また、前記略円柱状の物体１１の前記孔１２の中に一部が入っているひも状の部材２０の結び目の位置が上の〔００５２〕のようなものではなく、ひも状の部材２０の端が前記孔１２の中に入ってその孔を貫通する形で抜け出し、そして、その端の部分が、その孔が有る略円柱状の物体の横外側を縦に半周する形で、そのひも状の部材の、そのひも状の部材の端が入りはじめた孔の位置まで戻り、そのひも状の部材の端が入りはじめたところ、辺りに在るひも状の部材のところと、前記端とその端付近のところを結んで結び目をつくっているひも状の部材の場合は、そのひも状の部材２０の前記略円柱状の物体１１の横外側に位置する部分、即ち、略半周の形状となったところをハサミ等で切断すると、そのひも状の部材は、前記略円柱状の物体の孔１２から抜き取ることが出来る。（図３０参照）【００５４】そして、次は、前記略円柱状の物体１１に前記ひも状の部材２０を取り付ける方法と、そのひも状の部材が取り付けられた略円柱状の物体１１を前記凸部本体９の内部に収容する方法について説明することにする。【００５５】略円柱状の物体１１に取り付けるひも状の部材２０は片方の端が略輪状となっており、もう片方の端が一本の線状、即ちひも状の部材が延長した形状となっている。（図３８参照）【００５６】その略円柱状の物体１１に前記ひも状の部材２０を取り付ける方法はその略円柱状の物体１１を手に持ち垂直の状態、即ち略円柱状の内部に在る孔を垂直の状態にする。（図３１参照）【００５７】そして、その垂直にした状態の略円柱状の物体１１の孔１２の上から、もう片方の手で持っているひも状の部材２０の線状の端の方を入れて、その孔を貫通させ、その孔から出たひも状の部材の端とその付近で、前記孔よりも直径が太く孔の中に入ることが出来ない形状をした結び目をつくる。（図３１、図３２参照）【００５８】また、上の〔００５７〕の形状のものではなく〔００５３〕で説明している方法でひも状の部材２０を略円柱状の物体に取り付ける方法をとっているものもある。【００５９】〔００５６〕と〔００５７〕、または、〔００５８〕、即ち〔００５３〕の方法でひも状の部材２０が取り付けられた略円柱状の物体１１を、前記袋状の物体２の非通気性の部分６に内側から外側に押し付ける形で外側に突き出た凸部をつくり、その凸部の略円柱状の物体が無いところ、即ち略円柱状の物体のすぐ下のところを外側から前記２体の輪状の物体で締め付ければ袋状の物体の凸部７は完成するのであるが、その作業の時に注意することは、前記袋状の物体の内側に前記略円柱状の物体１１の、長い方のひも状の部材、即ち、端が略輪状となっているひも状の部材が出ている孔の入口がくるようにすることである。（図２８、図１１）【００６０】そして、〔００５８〕の作業でつくった凸部にひも状の部材１５を取り付けようと思えば、凸部７の凸部のくびれた部分８に〔００３８〕の要領でそのひも状の部材１５を取り付ければよい。（図１２、図１３参照）【００６１】また、凸部のくびれた部分８に取り付けられたひも状の部材１５の取り外し方は〔００３７〕の要領で行えばよい。（図２５参照）【００６２】そして、一部が前記略円柱状の物体１１が有する孔１２の中に入っている前記ひも状の部材２０を取り替える方法は、〔００３７〕〔００３８〕〔００４２〕〔００５２〕〔００５３〕〔００５６〕〔００５７〕の方法を応用すれば簡単に出来、また、鞄状の物体１３を取り替える方法は、〔００３７〕〔００３８〕の方法を用いれば簡単に行うことが出来る。（図１２、図１３、図１７、図２５、図３３、図３４参照）【００６３】これまで説明してきた前記呼吸困難解消マスク１の前記袋状の物体２から出ている複数本のひも状の部材１５の先端の略輪状の部分１６またはその先端の略輪状の部分以外のところを結んでつくった輪の部分１９をかけるヨートやフック等は、部屋の様々な部分や部屋に在る机等の物に取り付けられているので、当然のことながらそのヨートやフック等が出ている部分は孔が空く状態となる。【００６４】そこで、部屋の様々な部分に穴を開けること、または、部屋に在る物に穴を開けることを避けるためにヨートやフック等が取り付けられた吸盤の部分を有する物体、または、ヨートやフック等が取り付けられた磁石の部分を有する物体が使用される。（図４１、図４２、図４３、図４４参照）【００６５】それらを部屋の様々な部分や部屋に在る物に取り付ける場合は、例えば、フックが取り付けられた吸盤の部分を有する物体３１の場合は、部屋の部分や部屋に在る物に在る吸盤が吸い着くことが出来る状態の平らで凸凹の全くない面にそのフックが取り付けられた吸盤の部分を有する物体３１の吸盤の部分３２を外側からその面側に押える形でその面に吸い着く形で密着させるか、または、フックが取り付けられた磁石の部分を有する物体３４の場合は、部屋の部分や部屋に在る物に在る磁石を吸い着ける性質を持つ金属に、そのフックが取り付けられた磁石の部分を有する物体３４の磁石の部分３５を密着させる。（図４２、図４４参照）【００６６】それらフックが取り付けられた吸盤の部分を有する物体３１、または、フックが取り付けられた磁石の部分を有する物体３４を部屋の様々な部分や部屋に在る物に取り付ける時に注意することは、やがてその部屋に仰向けとなって横たわる呼吸困難解消マスク１を装着した人物の横になって仰向けとなった状態の顔の上先端部となる位置の高さよりも上となる位置にそれらのフックが存在するように取り付けることであり、部屋の様々な部分や部屋にある物に取り付けられたフックが取り付けられた吸盤の部分を有する物体３１及び、フックが取り付けられた磁石の部分を有する物体３４のそれらフックの部分３３、３６は、部屋の様々な部分や部屋に在る物に取り付けられたヨートやフック等と同じように、請求項１で述べている動かない状態で存在するヨートやフックに当てはまるものであり、それらのヨートやフックが存在する部屋に居る人物が、呼吸困難解消マスク１の袋状の物体２の複数のカ所から伸びるひも状の部材１５の先端の略輪状の部材１６や先端の略輪状の部分以外のところを結んでつくった輪の部分１９をそれらヨートやフック等にかけ、そして、〔００３０〕、〔００３１〕のように袋状の物体２を頭から被り、そして、その呼吸困難解消マスクを装着した人物がベッドや畳等の上に敷かれた布団等に横たわり、仰向けとなった場合は、前記袋状の物体２の複数のひも状の部材との接続部分から伸びるひも状の部材の先端の略輪状の部分１６、先端の略輪状の部分以外のところを結んでつくった輪の部分１９が、その横になって仰向けとなった人物の顔の上先端部の位置よりも上に在る天井の部分、柱、壁、棧等の部屋の様々な部分や部屋に在る机等に取り付けられた又は動かない状態で存在する複数のヨートやフック等に分けられる形で接続されているので、その仰向けとなって横たわる人物の顔から足元を見る方向を前と表現した場合、前記複数の袋状の物体とひも状の部材の接続部分は、複数のひも状の部材１５によって斜め上前方、斜め上後方、上、斜め上左、斜め上右、そして、左右等、水平の線から下にならない方向に引っ張られるので、その袋状の物体はへしゃげることなくその袋状の物体２の内部には空間２３が出来ており、その袋状の物体の内面で覆われた空間２３は、仰向けとなって横たわる人物の顔を囲む状態即ち、その仰向けとなって横たわる人物の顔が上を向いている時は、その人物の顔の上だけでなく顔の左右にもその人物の顔の皮膚に面して一つにつながった状態の空間２３が存在している。（図１８、図２２参照）【００６７】上の〔００６６〕のように仰向けとなって横たわる人物の顔に装着された呼吸困難解消マスク１の袋状の物体２を横から見た場合、その袋状の物体の向う側に光が在る場合は、その袋状の物体の中の人物の顔がぼんやりと見える状態の網の目状となっているその袋状の物体のその人物の頭側に在る部分は通気性のある部分５であり、そして、顎側に在る全く透けてなく袋状の物体の中を見せない部分が非通気性の部分６であり、その二つの部分５、６の境目の線は、その袋状の物体のその人物の顔の左右の部分が全く同じ状態即ち、左右対称であり、その境目の線を横から見た状態は、その人物の口と鼻の間の部分を垂直の直線、または垂直に近い直線か曲線で上に伸び、そして上先端に当たるまでに頭側に折れて水平、または水平に近い直線または曲線となって縦の線となって見える頭側の端のところまで続いているので、その仰向けとなって横たわる呼吸困難解消マスクを装着した人物の顔が上を向いている場合、その人物の口から吐かれた吐息は、上に上がるが、上先端部の周辺には非通気性の部分が在るので袋状の物体の上から抜けることは出来ないので暫くはその袋状の物体の内面で覆われた空間の中に停まることになるので、その空間２３の内部の湿度はその空間の中で停まる吐息の中に含まれる湿度によって増し、そして、上述の如く、前記空間に面している通気性のある部分５の面積、即ち、空気取り入れ口の役目を果たす部分の面積は、人物が立体マスクを装着した時に出来る空気取り入れ口となる部分の面積よりもはるかに広いので、呼吸困難解消マスクを装着し仰向けとなって横たわる人物は立体マスクを装着して横たわる時よりもはるかに呼吸を楽にすることが出来る。（図１８、図２２参照）
【産業上の利用可能性】
【００６８】本発明は息苦しさを感じることなく装着したままで喉に良い高温多湿の空気で楽に呼吸を行いながら眠ることが出来るマスクである。
【図面の簡単な説明】
【００６９】
【図１】中央の略長方形の布状の部材とその布状の部材の左右に存在する耳かけの部分とがつながった状態で構成されるマスクの外観斜視図である。
【図２】人物が図１のマスクを装着した時に出来る空間と空気取り入れ口の位置と広さを、その図１のマスクを装着した人物の横から見る方法を用いて現した図である。
【図３】立体マスクの斜視図である。
【図４】人物が図３の立体マスクを装着した時に出来るその立体マスク内の空間と空気取り入れ口の広さを、その立体マスクを装着した人物の横から見る方法を用いて現した図である。
【図５】人物が装着している図１のマスクの略長方形の部分を前に引っ張っている図である。
【図６】略長方形の布状の物体の内部に空間をつくる物体を有するマスクを人物が装着した時に出来る空間の形状と広さ、及び空気取り入れ口の形状と広さをそのマスクを装着した人物の顔の横から視る方法を用いて現した図である。
【図７】左右両方の帯状の物体を手で持って吊り上げた鞄状の物体の中央を縦に横断する状態で切断した面で、その鞄状の物体が有するワンタッチテープとポケットの位置を現した図である。
【図８】左右の帯状の物体が結ばれていない鞄状の物体を水を含んだ吸湿性の布状の物体が入るポケットが上にくる状態にしてそれを上から視た図である。
【図９】一つのポケットに使い捨てカイロ、もう一つのポケットに湿った布が在る鞄状の物体の帯状の物体を両手の指でつまんで持ち上げたその鞄状の物体の中央を縦に横断する形で切断した切断面の図である。
【図１０】袋状の物体が有する凸部のくびれた部分に輪状の物体が取り付けられている状態と伸びる前の輪状の物体の形状と大きさを現した図である。
【図１１】すでに一つの輪状の物体が取り付けられている凸部のくびれた部分にさらにもう一つの輪状の物体を取り付けようとしている図である。
【図１２】袋状の物体が有する凸部のくびれた部分にひも状の部材を取り付けようとしている図である。
【図１３】ひも状の部材の端の略輪状の部分にそのひも状の部材の一部を指でつまんでつくった略輪状の部分の鋭角にしたところを入れる形で端の略輪状の部分を根元とする略輪状の部分をつくろうとしている図である。
【図１４】天井に在る木材に取り付けられたヨートにひも状の部材の端の略輪状の部分が取り付けられている様子を現した図である。
【図１５】柱に取り付けられたヨートに、ひも状の部材の一部のところを結んでつくった輪が取り付けられている様子を現した図である。
【図１６】鞄状の物体が、袋状の物体の凸部の凸部本体の内部に在る略円柱状の物体の内部の孔から伸びてくるひも状の部材によってつり下げられる形で、その袋状の物体がつくり出す内部の空間の空中に存在している様子を現している図である。
【図１７】袋状の物体の凸部の凸部本体内の略円柱状の物体の内部の孔の中に一部が在るひも状の部材が、鞄状の物体にどのように取り付けられているかを現した図である。
【図１８】部屋の畳の上に敷かれた布団の上に仰向けとなって横たわる人物の顔が上を向いている人物に装着された呼吸困難解消マスクの袋状の物体の内外の様子を現した図である。
【図１９】袋状の物体の通気性のある部分と非通気性の部分との接続されている様子を袋状の物体を外側から見る状態で現している図である。
【図２０】袋状の物体の通気性のある部分と非通気性の部分が接続されている状態を、二つの部分が重なっているところを横から見る状態で分りやすくしている図である。
【図２１】袋状の物体の非通気性の部分の輪状の部分の近くの位置に貼られているワンタッチテープの状態を現している図である。
【図２２】畳の上に敷かれた布団の上で仰向けとなって横たわる人物の顔に装着された呼吸困難解消マスクの袋状の物体の内外の様子を、その人物の顔が横を向いている状態にして、そして足元から顔を見る方向で現している図である。
【図２３】袋状の物体を、その袋状の物体の非通気性の部分の中心の見えない縦の線が中央にくるようにして、そして、口の部分が下先端となるように、かつ、その口の部分全体が同じ高さになるようにして、その袋状の物体の上部の左右の端となっているところを左右に引っ張りながら吊るしている図である。
【図２４】袋状の物体を、その袋状の物体の非通気性の部分の中心の見えない縦の線が向かって左端にくるように、そして、口の部分が下先端となるように、かつ、その口の部分全体が同じ高さになるようにして、その袋状の物体の上部の左右の端となっているところを左右に引っ張りながら持って吊るしている図である。
【図２５】袋状の物体の凸部のくびれた部分に巻かれたひも状の部材を緩めている図である。
【図２６】袋状の物体の凸部のくびれた部分に巻かれた二体の輪状の物体の内の一体の輪状物体をハサミで切断しようとしている図である。
【図２７】袋状の物体の凸部のくびれた部分に取り付けられたひも状の部材と輪状の物体を取り外した直後に、凸部本体内に在った略円柱状の物体が下に落ちる図である。
【図２８】袋状の物体の非通気性の部分の内側から略円柱状の物体を外側に押し付けて凸部をつくろうとしている初期の動作を現している図である。
【図２９】一部が略円柱状の物体の孔の中を貫通する形で入っているひも状の部材のその孔の外側に在る結び目の略円柱状の物体側の部分をハサミで切断しようとしている図である。
【図３０】ひも状の部材の端を略円柱状の物体の孔に貫通さして、その端をその略円柱状の物体の横外側を縦に半周させてその端が入りはじめた孔の入口付近に在るひも状の部材のカ所で、そのカ所に在るひも状の部材の部分と、その端の付近の部分で結び目をつくっている形成を成すひも状の部材の前記略円柱状の物体の横側となっているところをハサミで切断しようとしている図である。
【図３１】ひも状の部材の端が略円柱状の物体の孔を貫通して、そのひも状の部材の一部がその孔の中に入っている状態を現した図である。
【図３２】一部が略円柱状の物体の孔の中に在るひも状の部材の先端付近で結び目をつくっている図である。
【図３３】鞄状の物体の帯状の物体に取り付けられたひも状の部材の輪となっている部分の輪を緩めている図である。
【図３４】鞄状の物体の帯状の物体にひも状の部材の端とその付近を取り付けようとしている図である。
【図３５】鞄状の物体の一つのポケットを開けた内外部の様子を、その鞄状の物体の中心部を横断する形の縦に下ろす形でその切断面を用いて現している図である。
【図３６】鞄状の物体の一つのポケットに入っている布状の部材を取り出す様子を、その鞄状の物体の中心部を横断する形の縦に切断する面を用いて現している図である。
【図３７】一つのポケットにカイロ、もう一つのポケットにスポンヂが入っている鞄状の物体の二つのポケットを閉めた直後の様子を、その鞄状の物体の中心部を横断する形の縦に切断する面を用いて現している図である。
【図３８】袋状の物体に取り付けられるひも状の部材と、一部が略円柱状の物体の孔に入るひも状の部材の図である。
【図３９】袋状の物体の表面全体が通気性のある部分で、その通気性のある部分の上に非通気性の部分が存在している状態の袋状の物体の図である。
【図４０】三本の一部が略円柱状の物体の孔に入るひも状の部材が結び目をつくっている部分に噴霧器を用いて噴射している図である。
【図４１】フックが取り付けられた吸盤を有する物体の外観斜視図である。
【図４２】平らな壁状の部分に、吸盤が密着した状態のフックが取り付けられた吸盤を有する物体のフックにひも状の部材の一部を結んでつくった輪の部分が分けられている状態を現した図である。
【図４３】フックが取り付けられた磁石を有する物体をフック側の斜めの方向から視た図である。
【図４４】机に取り付けられた磁石を引き寄せる性質を持つ金属にフックが取り付けられた磁石を有する物体のフックにひも状の部材の先端の略輪状の部分がかけられている様子を現した図である。
【符号の説明】
【００７０】１、呼吸困難解消マスク
２、袋状の物体
３、袋状の物体本体
４  袋状の物体の口の部分
５、袋状の物体の通気性のある部分
６、袋状の物体の非通気性の部分
７、凸部
８  凸部のくびれた部分
９  凸部本体
１０、輪状の物体
１１、略円柱状の物体
１２、略円柱状の物体が有する孔
１３、鞄状の物体
１４、鞄状の物体が有する帯状の物体
１５、袋状の物体の凸部に取り付ける、または、取り付けられたひも状の部材
１６、袋状の物体の凸部に取り付ける、または、取り付けられたひも状の部材の端の略輪状の部分
１７、袋状の物体の凸部に取り付けるまたは取り付けられたひも状の部材の端の略輪状の部分を根元とする略輪状の部分
１８、袋状の物体の凸部に取り付ける、または、取り付けられたひも状の部材の端の略輪状の部分を根元とする略輪状の部分の輪の鋭角のところ
１９、袋状の物体の凸部に取り付ける、または、取り付けられたひも状の部材の一部を結んでつくった輪の部分
２０、袋状の物体の内部の空間に存在する、または、存在する予定のひも状の部材
２１、袋状の物体の内部の空間に存在する、または、存在する予定のひも状の部材の端の略輪状の部分
２２、袋状の物体の内部の空間に存在する、または、存在する予定のひも状の部材の端の略輪状の部分を根元とする略輪状の部分
２３、部屋内等で呼吸困難解消マスクを仰向けとなって横たわる人物が装着した時にその人物の顔の周りに出来る空間
２４、袋状の物体の口の部分近くの帯状の部分
２５、鞄状の物体の繊維状の網の目の部分
２６、袋状の物体の非通気性の部分の中心の見えない縦の線
２７、鞄状の物体本体
２８、鞄状の物体本体の仕切り帯
２９、鞄状の物体本体のポケット
３０、ワンタッチテープが縫い付けられている縫い目
３１、フックが取り付けられた吸盤を有する物体
３２、フックが取り付けられた吸盤を有する物体の吸盤の部分
３３、フックが取り付けられた吸盤を有する物体のフックの部分
３４、フックが取り付けられた磁石を有する物体
３５、フックが取り付けられた磁石を有する物体の磁石の部分
３６、フックが取り付けられた磁石を有する物体のフックの部分
【図１】
2013240568.tif 000003
【図２】
2013240568.tif 000004
【図３】
2013240568.tif 000005
【図４】
2013240568.tif 000006
【図５】
2013240568.tif 000007
【図６】
2013240568.tif 000008
【図７】
2013240568.tif 000009
【図８】
2013240568.tif 000010
【図９】
2013240568.tif 000011
【図１０】
2013240568.tif 000012
【図１１】
2013240568.tif 000013
【図１２】
2013240568.tif 000014
【図１３】
2013240568.tif 000015
【図１４】
2013240568.tif 000016
【図１５】
2013240568.tif 000017
【図１６】
2013240568.tif 000018
【図１７】
2013240568.tif 000019
【図１８】
2013240568.tif 000020
【図１９】
2013240568.tif 000021
【図２０】
2013240568.tif 000022
【図２１】
2013240568.tif 000023
【図２２】
2013240568.tif 000024
【図２３】
2013240568.tif 000025
【図２４】
2013240568.tif 000026
【図２５】
2013240568.tif 000027
【図２６】
2013240568.tif 000028
【図２７】
2013240568.tif 000029
【図２８】
2013240568.tif 000030
【図２９】
2013240568.tif 000031
【図３０】
2013240568.tif 000032
【図３１】
2013240568.tif 000033
【図３２】
2013240568.tif 000034
【図３３】
2013240568.tif 000035
【図３４】
2013240568.tif 000036
【図３５】
2013240568.tif 000037
【図３６】
2013240568.tif 000038
【図３７】
2013240568.tif 000039
【図３８】
2013240568.tif 000040
【図３９】
2013240568.tif 000041
【図４０】
2013240568.tif 000042
【図４１】
2013240568.tif 000043
【図４２】
2013240568.tif 000044
【図４３】
2013240568.tif 000045
【図４４】
2013240568.tif 000046